【手続補正書】
【提出日】平成30年7月25日(2018.7.25)
【手続補正１】
【補正対象書類名】特許請求の範囲
【補正対象項目名】全文
【補正方法】変更
【補正の内容】
【特許請求の範囲】
【請求項１】
被測定者から測定された生体情報と、前記生体情報の測定時における前記被測定者の位置情報とが対応付けられたデータを取得するデータ取得部と、
前記データに含まれる位置情報のうち、予め登録された複数の場所情報の各々に属する位置情報に対応付けられた生体情報に基づいて、前記各々の場所情報に対し、前記被測定者の身体状態を判断するための数値指標を生成する指標生成部と、
前記複数の場所情報毎に生成された数値指標に基づく出力を行う出力部と、を備え、
前記出力部は、前記複数の場所情報毎に生成された数値指標と、前記数値指標に対応する場所情報とを出力する診療支援装置。
【請求項２】
請求項１記載の診療支援装置であって、
前記出力部は、前記複数の場所情報毎に生成された数値指標に基づいて、前記被測定者が、特定の場所情報に基づく場所に依存して身体状態が異常になるタイプか否かを通知するための情報を出力する診療支援装置。
【請求項３】
請求項１又は２記載の診療支援装置であって、
前記指標生成部は、前記場所情報に属する複数の位置情報に対応付けられた生体情報の平均値を当該場所情報に対する前記数値指標として生成する診療支援装置。
【請求項４】
請求項１〜３のいずれか１項記載の診療支援装置であって、
前記生体情報は、血圧値、脈拍、又は脈圧である診療支援装置。
【請求項５】
請求項１記載の診療支援装置であって、
前記出力部は、前記数値指標と、当該数値指標に対応する場所情報とを表示部に表示させ、前記表示部の画面上で任意の前記場所情報が選択されると、当該場所情報に属する位置情報に対応付けられた前記生体情報を前記表示部に表示させる診療支援装置。
【請求項６】
請求項１〜５のいずれか１項記載の診療支援装置と、
前記生体情報を測定する生体情報測定部と、
前記位置情報を取得する位置情報取得部と、
前記生体情報と、当該生体情報の測定時に前記位置情報取得部で取得された位置情報とを対応付けた前記データを記憶する記憶部と、を備え、
前記データ取得部は、前記記憶部から前記データを取得する生体情報測定装置。
【請求項７】
被測定者から測定された生体情報と、前記生体情報の測定時における前記被測定者の位置情報とが対応付けられたデータを取得するデータ取得部と、
前記データに含まれる位置情報のうち、予め登録された複数の場所情報の各々に属する位置情報に対応付けられた生体情報に基づいて、前記各々の場所情報に対し、前記被測定者の身体状態を判断するための数値指標を生成する指標生成部と、
前記複数の場所情報毎に生成された数値指標に基づく出力を行う出力部と、を備え、
前記指標生成部は、前記場所情報に属する複数の位置情報に対応付けられた生体情報の変動量を当該場所情報に対する前記数値指標として生成する診療支援装置。
【請求項８】
被測定者から測定された生体情報と、前記生体情報の測定時における前記被測定者の位置情報とが対応付けられたデータを取得するデータ取得部と、
前記データに含まれる位置情報のうち、予め登録された複数の場所情報の各々に属する位置情報に対応付けられた生体情報に基づいて、前記各々の場所情報に対し、前記被測定者の身体状態を判断するための数値指標を生成する指標生成部と、
前記複数の場所情報毎に生成された数値指標に基づく出力を行う出力部と、を備え、
前記被測定者から測定された生体情報は、第一の生体情報と第二の生体情報を含み、
前記指標生成部は、前記場所情報に属する複数の位置情報に対応付けられた前記第一の生体情報及び前記第二の生体情報の各々の変動量の比を前記数値指標として生成する診療支援装置。
【請求項９】
請求項８記載の診療支援装置であって、
前記第一の生体情報は血圧値であり、前記第二の生体情報は脈拍である診療支援装置。
【請求項１０】
コンピュータが、被測定者から測定された生体情報と、前記生体情報の測定時における前記被測定者の位置情報とが対応付けられたデータを取得するデータ取得ステップと、
コンピュータが、前記データに含まれる位置情報のうち、予め登録された複数の場所情報の各々に属する位置情報に対応付けられた生体情報に基づいて、前記各々の場所情報に対し、前記被測定者の身体状態を判断するための数値指標を生成する指標生成ステップと、
コンピュータが、前記複数の場所情報毎に生成された数値指標に基づく情報を出力する情報出力ステップと、を備え、
前記情報出力ステップで、前記複数の場所情報毎に生成された数値指標と、前記数値指標に対応する場所情報とを出力する診療支援方法。
【請求項１１】
被測定者から測定された生体情報と、前記生体情報の測定時における前記被測定者の位置情報とが対応付けられたデータを取得するデータ取得ステップと、
前記データに含まれる位置情報のうち、予め登録された複数の場所情報の各々に属する位置情報に対応付けられた生体情報に基づいて、前記各々の場所情報に対し、前記被測定者の身体状態を判断するための数値指標を生成する指標生成ステップと、
前記複数の場所情報毎に生成された数値指標に基づく情報として、前記複数の場所情報毎に生成された数値指標と、前記数値指標に対応する場所情報とを出力する情報出力ステップと、をコンピュータに実行させるための診療支援プログラム。
【請求項１２】
コンピュータが、被測定者から測定された生体情報と、前記生体情報の測定時における前記被測定者の位置情報とが対応付けられたデータを取得するデータ取得ステップと、
コンピュータが、前記データに含まれる位置情報のうち、予め登録された複数の場所情報の各々に属する位置情報に対応付けられた生体情報に基づいて、前記各々の場所情報に対し、前記被測定者の身体状態を判断するための数値指標を生成する指標生成ステップと、
コンピュータが、前記複数の場所情報毎に生成された数値指標に基づく情報を出力する情報出力ステップと、を備え、
前記指標生成ステップで、前記場所情報に属する複数の位置情報に対応付けられた生体情報の変動量を当該場所情報に対する前記数値指標として生成する診療支援方法。
【請求項１３】
コンピュータが、被測定者から測定された生体情報と、前記生体情報の測定時における前記被測定者の位置情報とが対応付けられたデータを取得するデータ取得ステップと、
コンピュータが、前記データに含まれる位置情報のうち、予め登録された複数の場所情報の各々に属する位置情報に対応付けられた生体情報に基づいて、前記各々の場所情報に対し、前記被測定者の身体状態を判断するための数値指標を生成する指標生成ステップと、
コンピュータが、前記複数の場所情報毎に生成された数値指標に基づく情報を出力する情報出力ステップと、を備え、
前記被測定者から測定された生体情報は、第一の生体情報と第二の生体情報を含み、
前記指標生成ステップで、前記場所情報に属する複数の位置情報に対応付けられた前記第一の生体情報及び前記第二の生体情報の各々の変動量の比を前記数値指標として生成する診療支援方法。
【請求項１４】
被測定者から測定された生体情報と、前記生体情報の測定時における前記被測定者の位置情報とが対応付けられたデータを取得するデータ取得ステップと、
前記データに含まれる位置情報のうち、予め登録された複数の場所情報の各々に属する位置情報に対応付けられた生体情報に基づいて、前記各々の場所情報に対し、前記被測定者の身体状態を判断するための数値指標を生成する指標生成ステップと、
前記複数の場所情報毎に生成された数値指標に基づく情報を出力する情報出力ステップと、をコンピュータに実行させるためのプログラムであって、
前記指標生成ステップで、前記場所情報に属する複数の位置情報に対応付けられた生体情報の変動量を当該場所情報に対する前記数値指標として生成する診療支援プログラム。
【請求項１５】
被測定者から測定された生体情報と、前記生体情報の測定時における前記被測定者の位置情報とが対応付けられたデータを取得するデータ取得ステップと、
前記データに含まれる位置情報のうち、予め登録された複数の場所情報の各々に属する位置情報に対応付けられた生体情報に基づいて、前記各々の場所情報に対し、前記被測定者の身体状態を判断するための数値指標を生成する指標生成ステップと、
前記複数の場所情報毎に生成された数値指標に基づく情報を出力する情報出力ステップと、をコンピュータに実行させるためのプログラムであって、
前記被測定者から測定された生体情報は、第一の生体情報と第二の生体情報を含み、
前記指標生成ステップで、前記場所情報に属する複数の位置情報に対応付けられた前記第一の生体情報及び前記第二の生体情報の各々の変動量の比を前記数値指標として生成する診療支援プログラム。
【手続補正２】
【補正対象書類名】明細書
【補正対象項目名】０００８
【補正方法】変更
【補正の内容】
【０００８】
本発明の診療支援装置は、被測定者から測定された生体情報と、前記生体情報の測定時における前記被測定者の位置情報とが対応付けられたデータを取得するデータ取得部と、前記データに含まれる位置情報のうち、予め登録された複数の場所情報の各々に属する位置情報に対応付けられた生体情報に基づいて、前記各々の場所情報に対し、前記被測定者の身体状態を判断するための数値指標を生成する指標生成部と、前記複数の場所情報毎に生成された数値指標に基づく出力を行う出力部と、を備え、前記出力部は、前記複数の場所情報毎に生成された数値指標と、前記数値指標に対応する場所情報とを出力するものである。
【手続補正３】
【補正対象書類名】明細書
【補正対象項目名】０００９
【補正方法】変更
【補正の内容】
【０００９】
本発明の生体情報測定装置は、前記診療支援装置と、前記生体情報を測定する生体情報測定部と、前記位置情報を取得する位置情報取得部と、前記生体情報と、当該生体情報の測定時に前記位置情報取得部で取得された位置情報とを対応付けた前記データを記憶する記憶部と、を備え、前記データ取得部は、前記記憶部から前記データを取得するものである。
本発明の診療支援装置は、被測定者から測定された生体情報と、前記生体情報の測定時における前記被測定者の位置情報とが対応付けられたデータを取得するデータ取得部と、
前記データに含まれる位置情報のうち、予め登録された複数の場所情報の各々に属する位置情報に対応付けられた生体情報に基づいて、前記各々の場所情報に対し、前記被測定者の身体状態を判断するための数値指標を生成する指標生成部と、前記複数の場所情報毎に生成された数値指標に基づく出力を行う出力部と、を備え、前記指標生成部は、前記場所情報に属する複数の位置情報に対応付けられた生体情報の変動量を当該場所情報に対する前記数値指標として生成するものである。
本発明の診療支援装置は、被測定者から測定された生体情報と、前記生体情報の測定時における前記被測定者の位置情報とが対応付けられたデータを取得するデータ取得部と、前記データに含まれる位置情報のうち、予め登録された複数の場所情報の各々に属する位置情報に対応付けられた生体情報に基づいて、前記各々の場所情報に対し、前記被測定者の身体状態を判断するための数値指標を生成する指標生成部と、前記複数の場所情報毎に生成された数値指標に基づく出力を行う出力部と、を備え、前記被測定者から測定された生体情報は、第一の生体情報と第二の生体情報を含み、前記指標生成部は、前記場所情報に属する複数の位置情報に対応付けられた前記第一の生体情報及び前記第二の生体情報の各々の変動量の比を前記数値指標として生成するものである。
【手続補正４】
【補正対象書類名】明細書
【補正対象項目名】００１０
【補正方法】変更
【補正の内容】
【００１０】
本発明の診療支援方法は、コンピュータが、被測定者から測定された生体情報と、前記生体情報の測定時における前記被測定者の位置情報とが対応付けられたデータを取得するデータ取得ステップと、コンピュータが、前記データに含まれる位置情報のうち、予め登録された複数の場所情報の各々に属する位置情報に対応付けられた生体情報に基づいて、前記各々の場所情報に対し、前記被測定者の身体状態を判断するための数値指標を生成する指標生成ステップと、コンピュータが、前記複数の場所情報毎に生成された数値指標に基づく情報を出力する情報出力ステップと、を備え、前記情報出力ステップで、前記複数の場所情報毎に生成された数値指標と、前記数値指標に対応する場所情報とを出力するものである。
本発明の診療支援方法は、コンピュータが、被測定者から測定された生体情報と、前記生体情報の測定時における前記被測定者の位置情報とが対応付けられたデータを取得するデータ取得ステップと、コンピュータが、前記データに含まれる位置情報のうち、予め登録された複数の場所情報の各々に属する位置情報に対応付けられた生体情報に基づいて、前記各々の場所情報に対し、前記被測定者の身体状態を判断するための数値指標を生成する指標生成ステップと、コンピュータが、前記複数の場所情報毎に生成された数値指標に基づく情報を出力する情報出力ステップと、を備え、前記指標生成ステップで、前記場所情報に属する複数の位置情報に対応付けられた生体情報の変動量を当該場所情報に対する前記数値指標として生成するものである。
本発明の診療支援方法は、は、コンピュータが、被測定者から測定された生体情報と、前記生体情報の測定時における前記被測定者の位置情報とが対応付けられたデータを取得するデータ取得ステップと、コンピュータが、前記データに含まれる位置情報のうち、予め登録された複数の場所情報の各々に属する位置情報に対応付けられた生体情報に基づいて、前記各々の場所情報に対し、前記被測定者の身体状態を判断するための数値指標を生成する指標生成ステップと、コンピュータが、前記複数の場所情報毎に生成された数値指標に基づく情報を出力する情報出力ステップと、を備え、前記被測定者から測定された生体情報は、第一の生体情報と第二の生体情報を含み、前記指標生成ステップで、前記場所情報に属する複数の位置情報に対応付けられた前記第一の生体情報及び前記第二の生体情報の各々の変動量の比を前記数値指標として生成するものである。
【手続補正５】
【補正対象書類名】明細書
【補正対象項目名】００１１
【補正方法】変更
【補正の内容】
【００１１】
本発明の診療支援プログラムは、被測定者から測定された生体情報と、前記生体情報の測定時における前記被測定者の位置情報とが対応付けられたデータを取得するデータ取得ステップと、前記データに含まれる位置情報のうち、予め登録された複数の場所情報の各々に属する位置情報に対応付けられた生体情報に基づいて、前記各々の場所情報に対し、前記被測定者の身体状態を判断するための数値指標を生成する指標生成ステップと、前記複数の場所情報毎に生成された数値指標に基づく情報として、前記複数の場所情報毎に生成された数値指標と、前記数値指標に対応する場所情報とを出力する情報出力ステップと、をコンピュータに実行させるためのものである。
本発明の診療支援プログラムは、測定者から測定された生体情報と、前記生体情報の測定時における前記被測定者の位置情報とが対応付けられたデータを取得するデータ取得ステップと、前記データに含まれる位置情報のうち、予め登録された複数の場所情報の各々に属する位置情報に対応付けられた生体情報に基づいて、前記各々の場所情報に対し、前記被測定者の身体状態を判断するための数値指標を生成する指標生成ステップと、前記複数の場所情報毎に生成された数値指標に基づく情報を出力する情報出力ステップと、をコンピュータに実行させるためのプログラムであって、前記指標生成ステップで、前記場所情報に属する複数の位置情報に対応付けられた生体情報の変動量を当該場所情報に対する前記数値指標として生成するものである。
本発明の診療支援プログラムは、被測定者から測定された生体情報と、前記生体情報の測定時における前記被測定者の位置情報とが対応付けられたデータを取得するデータ取得ステップと、前記データに含まれる位置情報のうち、予め登録された複数の場所情報の各々に属する位置情報に対応付けられた生体情報に基づいて、前記各々の場所情報に対し、前記被測定者の身体状態を判断するための数値指標を生成する指標生成ステップと、前記複数の場所情報毎に生成された数値指標に基づく情報を出力する情報出力ステップと、をコンピュータに実行させるためのプログラムであって、前記被測定者から測定された生体情報は、第一の生体情報と第二の生体情報を含み、前記指標生成ステップで、前記場所情報に属する複数の位置情報に対応付けられた前記第一の生体情報及び前記第二の生体情報の各々の変動量の比を前記数値指標として生成するものである。
【手続補正６】
【補正対象書類名】明細書
【補正対象項目名】００１３
【補正方法】変更
【補正の内容】
【００１３】
【図１】本発明の一実施形態を説明するための生体情報測定装置１００の概略構成を示すブロック図である。
【図２】図１に示す制御部１の機能ブロック図である。
【図３】図１に示す記憶部６に記憶されるデータを示す図である。
【図４】図１に示す制御部１が場所情報毎に生成する数値指標の例を示す図である。
【図５】図１に示す制御部１の診療支援モード時の動作を説明するためのフローチャートである。
【手続補正７】
【補正対象書類名】明細書
【補正対象項目名】００２７
【補正方法】変更
【補正の内容】
【００２７】
制御部１は、記憶部６のＲＯＭに記憶された診療支援プログラムを実行することにより、データ取得部１１と、指標生成部１２と、出力部１３として機能する。制御部１は診療支援装置として機能する。
【手続補正８】
【補正対象書類名】明細書
【補正対象項目名】００６２
【補正方法】変更
【補正の内容】
【００６２】
以上説明した制御部１のデータ取得部１１、指標生成部１２、及び出力部１３は、生体情報測定装置１００とは別の電子機器に持たせる構成でもよい。つまり、生体情報測定装置１００には、分析用データと場所情報を記憶部６に記憶する機能を持たせておき、生体情報測定装置１００を外部のコンピュータと接続したときに、このコンピュータが、データ取得部１１、指標生成部１２、及び出力部１３として機能して、数値指標に基づく出力を行ってもよい。この場合は、このコンピュータが診療支援装置として機能する。